(57)【要約】  簡単な構造で、使用できる液体の制約が少なく、冷感が少なく、粒子径が細かい霧状に噴射することができるエアゾール製品を提供すること。  エアゾール容器（１０１）が、複数の区画された収容空間と、収容空間に対応した複数のバルブ（１１０）とを有し、複数の収容空間の内の少なくとも１つが、液化ガスＬＧを収容する液化ガス収容部（１３１）であり、複数のバルブ（１１０）の内の少なくとも１つが、液化ガス収容部（１３１）から気化ガスを噴出する気相バルブ（１１０Ａ）であること。
2019058951.tif 000002
【特許請求の範囲】
【請求項１】
エアゾール容器から突出するステムを有するバルブと、前記ステムに嵌合するノズルとを有するエアゾール製品であって、
前記エアゾール容器が、複数の区画された収容空間と、前記収容空間に対応した複数のバルブとを有し、
前記複数の収容空間の内の少なくとも１つが、液化ガスを収容する液化ガス収容部であり、
前記複数のバルブの内の少なくとも１つが、前記液化ガス収容部から気化ガスを噴出する気相バルブであることを特徴とするエアゾール製品。
【請求項２】
前記エアゾール容器が、１つの缶状容器と該缶状容器内に収容される１つ以上の内容物収容袋を有し、
前記液化ガス収容部が、前記缶状容器内の前記内容物収容袋の外部の空間で構成され、
前記気相バルブ以外のバルブが、前記内容物収容袋内の内容物を噴出可能に構成されていることを特徴とする請求項１に記載のエアゾール製品。
【請求項３】
前記ノズルが、前記複数のバルブのステムに嵌合する嵌合部と、前記複数のバルブからの噴出物を混合する混合部と、混合された噴出物を噴射する吐出口とを有することを特徴とする請求項１又は請求項２に記載のエアゾール製品。
【請求項４】
前記気相バルブ以外のバルブの流路面積が、前記気相バルブの流路面積の３％以上であることを特徴とする請求項１乃至請求項３のいずれかに記載のエアゾール製品。
【請求項５】
前記液化ガスが、ハイドロフルオロオレフィンであることを特徴とする請求項１乃至請求項４のいずれかに記載のエアゾール製品。
【発明の詳細な説明】
【技術分野】
【０００１】
本発明はエアゾール容器から突出するステムを有するバルブと、前記ステムに嵌合するノズルとを有するエアゾール製品に関し、特に、内容物を霧状に噴射するのに好適なエアゾール製品に関する。
【背景技術】
【０００２】
エアゾール容器から突出するステムを有するバルブと、ステムに嵌合するノズルとを有するエアゾール製品は周知であり、ノズルから容器内の内容物を霧状に噴射するものも周知である。
一般的に、吐出口からの噴出の際に霧化されるため、内容物を霧状に噴射するに際しては、内容物の物性に応じて、内容物の噴出量、噴出圧及びノズルの吐出口形状を適宜設計し、吐出口付近での液化ガスの膨張力により、良好な霧状噴射を実現していた。
内容物の噴出圧や吐出口付近での液化ガスの膨張力は、内容物と混合する液化ガスの種類や量により調整され、内容物の噴出量は、バルブやノズルの流路により調整される。
しかしながら、液化ガスの種類や量は内容物の物性や親和性によって規制され、また、内容物の噴出量は使用用途によって異なるため、必ずしも最適な霧状とする設定にはできなかった。【０００３】
これらの問題を緩和し、良好な霧状噴射を実現することを目的とし、ノズル以外の構造を工夫したものとして、例えば、特許文献１のように、バルブハウジングの周壁にベンチュリー孔を設け、ハウジングの下端部分において、毛管現象により容器内の液体を吸収しかつハウジング内でベンチュリー作用により液体を蒸散して霧状ガス体を生成するように構成されたバルブを有するエアゾール製品が公知である。
また、特許文献２のように、気体を貯留した第１容器と液体を貯留した第２容器を備え、第１容器に貯留されている気体を第１ノズル部から気流として吐出し、第２容器に貯留されている液体を第１ノズル部から吐出される気流により吸引させてその気流の吐出域に噴出させる第２ノズル部を備えたエアゾール製品が公知である。
さらに、特許文献３のように、霧状の液を噴射する内部エアゾール装置と、その内部エアゾール装置から噴射された霧状の液を配送するためのガスを噴射する外部エアゾール装置を備えたエアゾール製品が公知である。
【先行技術文献】
【特許文献】
【０００４】
【特許文献１】特開２００１−２８６７９５号公報
【特許文献２】特許第４５６４２９７号公報
【特許文献３】特開２０００−２７１５１４号公報
【発明の概要】
【発明が解決しようとする課題】
【０００５】
これらの公知のエアゾール容器は、ノズル以外の構造を工夫することで、内容物に応じた最適な霧状に噴射することが可能となるものである。
しかしながら、特許文献１で公知のエアゾール製品の場合、毛管現象とベンチュリー作用を応用することから、使用できる液体の制約が多く、また、ノズル内の構造が複雑となるという問題があった。
また、特許文献２で公知のエアゾール製品の場合、ベンチュリー作用を応用するものであり、液体が外気にさらされることから、使用できる液体の制約が多く、また、エアゾール容器全体が大きくなるという問題があった。
また、特許文献３で公知のエアゾール製品の場合、ノズル構造、容器構造が極めて複雑となるという問題があった。【０００６】
本発明は、上記課題を解決するものであり、簡単な構造で、使用できる液体の制約が少なく、冷感が少なく、粒子径が細かい霧状に噴霧することができるエアゾール製品を提供することを目的とする。
【課題を解決するための手段】
【０００７】
本発明に係るエアゾール製品は、エアゾール容器から突出するステムを有するバルブと、前記ステムに嵌合するノズルとを有するエアゾール製品であって、前記エアゾール容器が、複数の区画された収容空間と、前記収容空間に対応した複数のバルブとを有し、前記複数の収容空間の内の少なくとも１つが、液化ガスを収容する液化ガス収容部であり、前記複数のバルブの内の少なくとも１つが、前記液化ガス収容部から気化ガスを噴出する気相バルブであることにより、前記課題を解決するものである。
【発明の効果】
【０００８】
本請求項１に係るエアゾール製品によれば、エアゾール容器が、複数の区画された収容空間と、収容空間に対応した複数のバルブとを有し、複数の収容空間の内の少なくとも１つが、液化ガスを収容する液化ガス収容部であり、複数のバルブの内の少なくとも１つが、液化ガス収容部から気化ガスを噴出する気相バルブであることにより、液体等の収容物と気化ガスがノズル内で混合することで、冷感が少なく、粒子径が細かい霧状にすることが可能となる。
また、液体等の収容物と気化ガスを、それぞれのバルブから噴射できるため、２つのバルブを任意に最適に設計することが可能となり、使用できる液体の制約を少なくすることができる。
また、公知のデュアルバルブ構成のエアゾール容器を使用することができ、簡単な構造とすることができる。【０００９】
本請求項２に記載の構成によれば、エアゾール容器が、１つの缶状容器と該缶状容器内に収容される１つ以上の内容物収容袋を有し、液化ガス収容部が、缶状容器内の内容物収容袋の外部の空間で構成され、気相バルブ以外のバルブが、内容物収容袋内の内容物を噴出可能に構成されていることにより、液化ガス収容部の圧力で内容物を噴出することができるため、液化ガスとの混合保存が望ましくない内容物を収容することが可能となり、さらに使用できる液体の制約を少なくすることができる。
また、エアゾール容器が１つの缶状容器で構成されているため、使用者が持ちやすい形状とすることが可能となる。
本請求項３に記載の構成によれば、ノズルが、複数のバルブのステムに嵌合する嵌合部と、複数のバルブからの噴出物を混合する混合部と、混合された噴出物を噴射する吐出口とを有することにより、単一のノズル内部の設計で最適な霧状の噴射を行うことが可能となり、さらに簡単な構造とすることができる。
【図面の簡単な説明】
【００１０】
【図１】本発明の一実施形態のエアゾール製品の断面説明図。
【発明を実施するための形態】
【００１１】
本発明の第１実施形態に係るエアゾール製品１００は、図１に示すように、エアゾール容器１０１の口部に２つのバルブ１１０がマウンテンカップ１０２で固定され、２つのステム１１１が上方に突出している、いわゆるデュアルバルブタイプの製品である。
エアゾール容器１０１内の収容空間には内容物収容袋１３２が設けられ、内容物収容袋１３２の内部と外部の２つの収容空間に区画されている。
内容物収容袋１３２の内部は、内容物Ｆが密に収容されており、内容物収容袋１３２の外部は、液化ガスＬＧが収容される液化ガス収容部１３１を形成している。
なお、液化ガスＬＧとしては、一般的なエアゾール製品の噴射剤として使用されるＬＰＧ、ジメチルエーテル、代替フロン等のいかなるものでもよく、燃えにくく、環境への負荷が少ないハイドロフルオロオレフィンが好ましく、ＨＦＯ−１２３４ｚｅがさらに好ましい。
２つのバルブ１１０の内の一方は、内容物収容袋１３２の内部の内容物Ｆを噴射するように接続されるとともに、他方のバルブ１１０Ａ（以下、「気相バルブ１１０Ａ」という。）は、液化ガス収容部１３１内に収容された液化ガスＬＧの気相部の気化ガスを噴出するように接続されている。
【００１２】
２つのバルブ１１０の上方に突出したステム１１１には、嵌合部１２２を介してノズル１２０が取付けられ、ノズル１２０を下方に押圧することで、バルブ１１０及び気相バルブ１１０Ａが開放し、液化ガス収容部１３１内に収容された液化ガスＬＧの気相部の圧力によって、気化ガスがステム１１１から噴出するとともに、内容物収容袋１３２も圧力を受けて内容物Ｆがステム１１１から噴出する。
内容物Ｆと気化ガスは、ノズル１２０内で混合されて吐出口１２１から噴射され、この過程で、内容物Ｆは微細な霧状となって噴射される。
【００１３】
なお、本実施形態では、内容物収容袋１３２内には、バルブ１１０の下方に残量低減部材１３４が取付けられており、最後まで、内容物Ｆの噴出量を安定させるとともに残量を低減させるように構成されている。
また、内容物Ｆは、内容物収容袋１３２が液化ガス収容部１３１から受ける圧力によって噴出するため、保存時に内容物Ｆと液化ガスＬＧが触れることはなく、内容物Ｆに圧力を与えるような材料を混合する必要もない。
【実施例１】
【００１４】
以上のようなエアゾール製品１００で、内容物Ｆとして水、アルコール及びサラダ油を用い霧状に噴霧した際の実験結果を、表１に示す。
実験条件は以下の通り。
実施例１：内容物Ｆ側バルブ１１０の流路径  ０．３５ｍｍ
気相バルブ１１０Ａの流路径      ０．３５ｍｍ
液化ガス                            ＨＦＯ−１２３４ｚｅ
実施例２：内容物Ｆ側バルブ１１０の流路径  ２．００ｍｍ
気相バルブ１１０Ａの流路径      ０．３５ｍｍ
液化ガス                            ＨＦＯ−１２３４ｚｅ
なお、比較例は、１つのバルブで噴射する一般的なエアゾール容器の例である。
比較例１：バルブの流路径                          ０．４０ｍｍ
噴射剤                            Ｎ２
比較例２：バルブの流路径                          ０．４０ｍｍ
噴射剤                            ＬＰＧ（内容物と混合）
【表１】
2019058951.tif 000003
【００１５】
実験結果が示すように、内容物Ｆが水の場合、本発明のエアゾール製品の実施例では、粒子径が非常に細かく、冷感も少ない霧状に噴出することができる。
これに対し、比較例では、いずれも粒子径が大きく、内容物と混合したＬＰＧを使用した場合、やや冷感が生じる。
内容物Ｆがアルコールの場合、本発明のエアゾール製品の実施例では、粒子径が非常に細かく、アルコール由来の若干の冷感はあるものの、比較的冷感が少ない霧状に噴出することができる。
これに対し、比較例では、噴射ガスを窒素ガスとした場合には、冷感が本発明のエアゾール製品の実施例と同等ではあるものの粒子径が大きく、内容物と混合したＬＰＧを使用した場合には、粒子径は小さくなるものの冷感が極めて大きい。
内容物Ｆがサラダ油の場合、本発明のエアゾール製品の実施例では、粒子径が非常に細かく、冷感も少ない霧状に噴出することができる。
これに対し、比較例では、噴射ガスを窒素ガスとした場合は霧状にならず、内容物と混合したＬＰＧを使用した場合には、冷感が極めて大きい。
【実施例２】
【００１６】
表２に、第１実施形態に係るエアゾール製品１００において、内容物Ｆとして水を用い、バルブ１１０の流路径を変えた際の実験結果を示す。
【表２】
2019058951.tif 000004
条件１−条件６では、気相バルブ１１０Ａの流路径を２．００ｍｍとし、内容物Ｆ側バルブ１１０の流路径を０．３ｍｍ、０．３５ｍｍ、０．４ｍｍ、０．４５ｍｍ、０．５ｍｍ、２．００ｍｍと順次大きくした。
条件６−条件９では、内容物Ｆ側バルブ１１０の流路径を２．００ｍｍとし、気相バルブ１１０Ａの流路径を２．００ｍｍ、０．５ｍｍ、０．３５ｍｍ、０．３ｍｍと順次小さくした。【００１７】
実験結果が示すように、条件１（流路の面積比（液／ガス）２％）では、液化ガスとしてＬＰＧ０．１５、ＤＭＥ（ジメチルエーテル）を使用した場合には細かい霧状の噴出が可能であったが、液化ガスとしてＨＦＯ−１２３４ｚｅ、ＬＰＧ０．３９を使用した場合には霧状の噴出ができなかった。
条件２（流路の面積比（液／ガス）３％）では、液化ガスとしてＨＦＯ−１２３４ｚｅ、ＬＰＧ０．３９を使用した場合でも細かい霧状の噴出が可能であった。
したがって、内容物Ｆ側バルブの流路面積を、気相バルブの流路面積の３％以上とすることで、液化ガスの種類を問わずに細かい霧状の噴出が可能となる。
また、条件６（流路の面積比（液／ガス）１００％）では、液化ガスとしてＬＰＧ０．１５、ＬＰＧ０．３９、ＤＭＥ（ジメチルエーテル）、ＨＦＯ−１２３４ｚｅのいずれを使用した場合でも細かい霧状の噴出が可能であった。
さらに、条件９（流路の面積比（液／ガス）４４４４％）でも、液化ガスとしてＨＦＯ−１２３４ｚｅを使用したところ細かい霧状の噴出が可能であった。
したがって、液化ガスとして、ＨＦＯ−１２３４ｚｅを使用することで、気相バルブ１１０Ａの流路径を小さくし、より少ないガスでも細かい霧状の噴出が可能となる。【００１８】
なお、上述した実施形態のエアゾール製品１００は、１つのエアゾール容器１０１に２つのバルブ１１０を有するいわゆるデュアルバルブタイプの製品であるが、バルブの数は３つ以上であってもよい。
また、１つのバルブを有するエアゾール容器で複数の収容空間を構成し、複数の収容空間のうちの少なくとも１つが気化ガスを噴出するものであってもよく、１つのバルブを有するエアゾール容器を複数用い複数の収容空間を構成し、複数のエアゾール容器のうち少なくとも１つが気化ガスを噴出するものであっても良い。
さらに、上述した実施形態の内容物Ｆは、液化ガスを含まないものであるが、液化ガスが混合されていてもよい。【００１９】
また、前述の表２に示す実験例は、ノズル１２０先端の吐出口１２１の構造を吐出する流体を螺旋状に旋回させる構造（メカニカルブレイクアップ）とした例であるが、ノズル１２０先端の吐出口１２１の構造をストレート構造とした際の実験結果を以下の表３に示す。
【表３】
2019058951.tif 000005
このように、ストレート構造であっても、同等の細かい霧状の噴出が可能であることから、ノズル１２０が内容物Ｆと気化ガスがノズル１２０内で混合されるものであれば、ノズル１２０先端の吐出口１２１の構造は、吐出する流体を螺旋状に旋回させる構造（メカニカルブレイクアップ）であってもよく、内容物Ｆと気化ガスが直接外部に噴射されるストレート構造であってもよい。
【符号の説明】
【００２０】
１００  ・・・  エアゾール製品
１０１  ・・・  エアゾール容器
１０２  ・・・  マウンテンカップ
１１０  ・・・  バルブ
１１１  ・・・  ステム
１２０  ・・・  ノズル
１２１  ・・・  吐出口
１２２  ・・・  嵌合部
１３１  ・・・  液化ガス収容部
１３２  ・・・  内容物収容袋
１３４  ・・・  残量低減部材
ＬＧ  ・・・  液化ガス
Ｆ    ・・・  内容物
【図１】
2019058951.tif 000006
【国際調査報告】
2019058951.tif 000007
2019058951.tif 000008
2019058951.tif 000009
2019058951.tif 000010